(57)【要約】【課題】ハウジングまたはレンズの一部からなるスイッチ部分に人がタッチすることでまたはスイッチ部分に人がタッチしてスライドすることで照明のＯＮ／ＯＦＦを行なう車室内照明装置で、使用者が容易に照明のＯＮ／ＯＦＦの操作方法を理解できる車室内照明装置の提供。【解決手段】車室内照明装置１０のハウジング２０またはレンズ３０の一部からなるスイッチ部分５０またはその近傍に、人の手の図柄を含む絵文字６０を用いて照明のＯＮ／ＯＦＦの操作方法を表示する。その結果、絵文字６０の通りに使用者が操作することで、照明のＯＮ／ＯＦＦ操作をすることができる。そのため、照明のＯＮ／ＯＦＦの操作方法を文字にて表示する場合など、人の手の図柄を含む絵文字を用いない場合に比べて、使用者が容易に照明のＯＮ／ＯＦＦの操作方法を理解できる。【選択図】        図１
2010173402.tif 000002
【特許請求の範囲】
【請求項１】
車両に対して固定されるハウジングと、該ハウジングに取付けられるレンズと、を有し、前記ハウジングまたは前記レンズの一部からなるスイッチ部分に人がタッチすることでまたは該スイッチ部分に人がタッチしてスライドすることで照明のＯＮ／ＯＦＦを行なう、車室内照明装置であって、
前記スイッチ部分またはその近傍に、人の手の図柄を含む絵文字を用いて照明のＯＮ／ＯＦＦの操作方法を表示した、車室内照明装置。
【発明の詳細な説明】
【技術分野】
【０００１】
本発明は、ハウジングまたはレンズの一部からなるスイッチ部分に人がタッチすることでまたはスイッチ部分に人がタッチしてスライドすることで照明のＯＮ／ＯＦＦを行なう車室内照明装置に関する。
【背景技術】
【０００２】
特開２００７−２３８０４９号公報は、従来の一般的な車室内照明装置を開示している。具体的には、車両に対して固定されるハウジングと、ハウジングに可動に取付けられる押ボタンと、ハウジングに可動に取付けられるスライドボタンと、を有しており、押ボタンやスライドボタンを操作して、照明のＯＮ／ＯＦＦを行う車室内照明装置を開示している。
しかし、上記公報開示の装置では、押ボタンやスライドボタンを用いているため、押ボタンやスライドボタンとハウジングとの間に見切り線（隙間）ができてしまう。
この見切り線を無くすために、押しボタンやスライドボタンの代わりに、車室内照明装置に、特開２００７−２３０４５０号公報に開示されるタッチスイッチを用いることが考えられる。
【０００３】
しかし、タッチスイッチを用いた場合、つぎの問題点がある。
見切り線がないため車室内照明装置の意匠性を向上させることができる反面、見切り線がないため照明のＯＮ／ＯＦＦの操作方法がわかりにくくなってしまう。とくに、車室内照明装置にタッチスイッチを用いて照明のＯＮ／ＯＦＦを行うことは一般的とはいえないため、使用者がその操作に戸惑うおそれがある。
タッチスイッチ部分またはその近傍に照明のＯＮ／ＯＦＦの操作方法を示す説明文を表示することも考えられるが、文字を読みその意味内容を理解しなければならず、瞬時に操作方法を理解することが困難である。
【先行技術文献】
【特許文献】
【０００４】
【特許文献１】特開２００７−２３８０４９号公報
【特許文献２】特開２００７−２３０４５０号公報
【発明の概要】
【発明が解決しようとする課題】
【０００５】
本発明の目的は、ハウジングまたはレンズの一部からなるスイッチ部分に人がタッチすることでまたはスイッチ部分に人がタッチしてスライドすることで照明のＯＮ／ＯＦＦを行なう車室内照明装置で、使用者が容易に照明のＯＮ／ＯＦＦの操作方法を理解できる車室内照明装置を提供することにある。
【課題を解決するための手段】
【０００６】
上記目的を達成する本発明はつぎの通りである。
（１）  車両に対して固定されるハウジングと、該ハウジングに取付けられるレンズと、を有し、前記ハウジングまたは前記レンズの一部からなるスイッチ部分に人がタッチすることでまたは該スイッチ部分に人がタッチしてスライドすることで照明のＯＮ／ＯＦＦを行なう、車室内照明装置であって、
前記スイッチ部分またはその近傍に、人の手の図柄を含む絵文字を用いて照明のＯＮ／ＯＦＦの操作方法を表示した、車室内照明装置。
【発明の効果】
【０００７】
上記（１）の車室内照明装置によれば、ハウジングまたはレンズの一部からなるスイッチ部分またはその近傍に、人の手の図柄を含む絵文字を用いて照明のＯＮ／ＯＦＦの操作方法を表示したため、絵文字の通りに使用者が操作することで、照明のＯＮ／ＯＦＦ操作をすることができる。そのため、照明のＯＮ／ＯＦＦの操作方法を文字にて表示する場合など、人の手の図柄を含む絵文字を用いない場合に比べて、使用者が容易に照明のＯＮ／ＯＦＦの操作方法を理解できる。
【図面の簡単な説明】
【０００８】
【図１】本発明実施例の車室内照明装置の、一例を示す正面図（底面図）である。
【図２】本発明実施例の車室内照明装置の、図１とは異なる一例を示す正面図（底面図）である。
【図３】本発明実施例の車室内照明装置の、手のひらでスイッチ部分をタッチして照明のＯＮ／ＯＦＦを行なう操作方法を示す絵文字の正面図である。
【図４】本発明実施例の車室内照明装置の、手のひらでスイッチ部分をタッチして照明のＯＮ／ＯＦＦを行なう操作方法を示す絵文字の正面図である。
【図５】本発明実施例の車室内照明装置の、手のひらでスイッチ部分をタッチして照明のＯＮ／ＯＦＦを行なう操作方法を示す絵文字の正面図である。
【図６】本発明実施例の車室内照明装置の、指（人差し指）でスイッチ部分をタッチして照明のＯＮ／ＯＦＦを行なう操作方法を示す絵文字の正面図である。
【図７】本発明実施例の車室内照明装置の、手のひらでスイッチ部分をタッチして照明のＯＮ／ＯＦＦを行なう操作方法を示す絵文字の正面図である。
【図８】本発明実施例の車室内照明装置の、指（人差し指）でスイッチ部分をタッチして照明のＯＮ／ＯＦＦを行なう操作方法を示す絵文字の正面図である。
【図９】本発明実施例の車室内照明装置の、指（人差し指）でスイッチ部分をタッチしてスライドすることで照明のＯＮ／ＯＦＦを行なう操作方法を示す絵文字の正面図である。
【図１０】本発明実施例の車室内照明装置の、指（人差し指）でスイッチ部分をタッチしてスライドすることで照明のＯＮ／ＯＦＦを行なう操作方法を示す絵文字の正面図である。
【図１１】本発明実施例の車室内照明装置の、手のひらでスイッチ部分をタッチしてスライドすることで照明のＯＮ／ＯＦＦを行なう操作方法を示す絵文字の正面図である。
【図１２】本発明実施例の車室内照明装置の、指（人差し指）でスイッチ部分をタッチしてスライドすることで照明のＯＮ／ＯＦＦを行なう操作方法を示す絵文字の正面図である。
【図１３】本発明実施例の車室内照明装置の、指（人差し指）でスイッチ部分をタッチしてスライドすることで照明のＯＮ／ＯＦＦを行なう操作方法を示す絵文字の正面図である。
【図１４】本発明実施例の車室内照明装置の、手のひらでスイッチ部分をタッチしてスライドすることで照明のＯＮ／ＯＦＦを行なう操作方法を示す絵文字の正面図である。
【図１５】本発明実施例の車室内照明装置の、指（人差し指）でスイッチ部分をタッチしてスライドすることで照明のＯＮ／ＯＦＦを行なう操作方法を示す絵文字の正面図である。
【図１６】本発明実施例の車室内照明装置の、手のひらでスイッチ部分をタッチしてスライドすることで照明のＯＮ／ＯＦＦを行なう操作方法を示す絵文字の正面図である。
【図１７】本発明実施例の車室内照明装置の、指（人差し指）でスイッチ部分をタッチしてスライドすることで照明のＯＮ／ＯＦＦを行なう操作方法を示す絵文字の正面図である。
【図１８】本発明実施例の車室内照明装置の、スイッチ部分をスイッチ部分の周囲に比べて若干量凹ましてスイッチ部分の位置をわかりやすくした場合の、（ａ）凹形状にした部分の横断面形状が円の一部の形状である場合、（ｂ）凹形状にした部分の横断面形状が三角形状である場合、（ｃ）凹形状にした部分の横断面形状が矩形状である場合の、スイッチ部分の部分断面図である。
【発明を実施するための形態】
【０００９】
以下に、本発明実施例の車室内照明装置を、図１〜図１８を参照して、説明する。本発明実施例の車室内照明装置１０は、車室天井の車両左右方向中央部で車両前側端部近傍（運転席と助手席の間の車室天井部分）に配置されるオーバーヘッドコンソール装置である。車室内照明装置１０は、照明ＯＮ時に運転席または助手席を照らすマップランプと、照明ＯＮ時に車室内を照らすドームランプ（ルームランプ）と、を有する。なお、ドームランプは、車両のドアの開閉に連動してＯＮ／ＯＦＦさせることができるようになっている。
【００１０】
車室内照明装置１０は、図１に示すような意匠の装置であってもよく、図２に示すような意匠の装置であってもよい。
車室内照明装置１０は、図１、図２に示すように、車両（車室）に対して固定されるハウジング（パネルといってもよい）２０と、ハウジング２０に取付けられるレンズ３０と、光源４０と、を有する装置であって、ハウジング２０またはレンズ３０の一部からなるスイッチ部分５０に人がタッチすることでまたはスイッチ部分５０に人がタッチして所定の方向にスライドすることで照明のＯＮ／ＯＦＦを行なう（照明のＯＮ／ＯＦＦをタッチスイッチによって行う）装置である。
【００１１】
ハウジング２０は、光不透過性樹脂製である。ハウジング２０は、車両の内装部材の一部を構成する図示略のオーバーヘッドコンソールに一体に形成されるか、オーバーヘッドコンソールと別体に形成されてオーバーヘッドコンソールに固定して取付けられる。ハウジング２０には、車室内照明装置１０の幅方向（車両左右方向）に延びる軸芯まわりに回動して開閉し開状態にあるときにサングラス等の小物を収納可能な収納ボックス２１が取付けられている。
【００１２】
レンズ３０は、光透過性樹脂製である。レンズ３０は、光源４０が点灯しているときに、光源４０からの光を透過して車室内に導く。レンズ３０は、ハウジング２０に固定して取付けられる。レンズ３０は、車室内照明装置１０が図１に示すような意匠の装置である場合、ハウジング２０に一箇所のみ設けられ、車室内照明装置１０が図２に示すような意匠の装置である場合、ハウジング２０に複数個所設けられる。
【００１３】
光源４０は、たとえばバルブ、ＬＥＤ等からなる。光源４０は、ハウジング２０に対して固定されている。光源４０の電源をＯＮにしたとき、車室内照明装置１０の照明がＯＮになり、光源４０の電源をＯＦＦにしたとき、車室内照明装置１０の照明がＯＦＦになる。光源４０は、レンズ３０の反車室内側（レンズ３０の裏側）に配置されている。光源４０は、図２に示すように、マップランプ用の光源４１と、ドームランプ用の光源４２と、を備える。ただし、車室内照明装置１０が図１に示すような意匠の装置である場合、マップランプ用の光源４１とドームランプ用の光源４２とが共用されてコスト削減が図られていてもよい。
【００１４】
車室内照明装置１０には、人（使用者）がハウジング２０またはレンズ３０の意匠面（車室内側面）の一部からなるスイッチ部分５０にタッチすることにより生じる静電容量の変化に基づいて、または、スイッチ部分５０にタッチしてスライドすることにより生じる静電容量の変化に基づいて、照明のＯＮ／ＯＦＦ（光源４０の電源のＯＮ／ＯＦＦ）を行なう静電容量型タッチスイッチが設けられている。
スイッチ部分５０は、図１、図２に示すように、マップランプのＯＮ／ＯＦＦ操作するためのマップランプ用スイッチ部分５１と、ドームランプのＯＮ／ＯＦＦ操作（車両ドアの開閉に連動してＯＮ／ＯＦＦさせる操作を含む）するためのドームランプ用スイッチ部分５２と、を備える。
【００１５】
車室内照明装置１０に設けられるスイッチがタッチスイッチであるため、照明をＯＮ／ＯＦＦさせるためにハウジング２０に可動に取付けられる押ボタンやスライドボタンは不要であり、その結果、スイッチ部分５０の周囲に見切り線ができてしまうことを防止できる。しかし、スイッチ部分５０の周囲に見切り線がないため、照明をＯＮ／ＯＦＦさせるために押ボタンやスライドボタンを設ける場合に比べて、スイッチ部分５０の位置がわかりにくくなってしまうおそれがある。その場合には、スイッチ部分５０をスイッチ部分５０の周囲に比べて若干量凹ました凹形状部分５０ａにし、スイッチ部分５０の位置をわかりやすくしていてもよい。なお、凹形状部分５０ａの横断面形状は、図１８（ａ）に示すように円の一部の形状であってもよく、図１８（ｂ）に示すように三角形状であってもよく、図１８（ｃ）に示すように矩形状であってもよく、その他の形状であってもよい。
【００１６】
車室内照明装置１０に設けられるスイッチがタッチスイッチであるため、照明をＯＮ／ＯＦＦさせるためにハウジング２０に可動に取付けられる押ボタンやスライドボタンは不要であり、その結果、スイッチ部分５０の周囲に見切り線ができてしまうことを防止できる。しかし、スイッチ部分５０の周囲に見切り線がないため、照明をＯＮ／ＯＦＦさせるために押ボタンやスライドボタンを設ける場合に比べて、照明のＯＮ／ＯＦＦの操作方法がわかりにくくなってしまう。
そこで、本発明実施例では、ハウジング２０またはレンズ３０の意匠面で、スイッチ部分５０またはその近傍に、人の手の図柄を含む絵文字（アイコン）６０を用いて照明のＯＮ／ＯＦＦの操作方法を表示している。
【００１７】
〔絵文字６０の作成方法〕
人の手の図柄を含む絵文字６０の作成方法は、たとえば以下の方法である。
（ｉ）ハウジング２０またはレンズ３０の意匠面でスイッチ部分５０またはその近傍に、直接塗料を塗布する方法。なお、塗料は、夜間に絵文字６０を目立たせるため夜光塗料であってもよい。
（ｉｉ）タンポ印刷（パッド印刷）する方法。
（ｉｉｉ）ポリカーボネート製のシート等の別部材に塗料を塗布またはタンポ印刷し、当該シートをハウジング２０またはレンズ３０に両面テープ等で貼り付ける方法。なお、この方法を採用する場合、ハウジング２０またはレンズ３０の意匠面とシートの意匠面とを面一にしたいため、あらかじめハウジング２０またはレンズ３０にシートの厚み分だけ凹形状の凹形状部を設けておくことが望ましい。
（ｉｖ）ハウジング２０またはレンズ３０にレーザー加工を施す方法（レーザーマーキング方法）。その際、レーザーマーキングしてできた絵文字６０の裏側に光源４０とは別の光源などを設け、絵文字６０の部分から光が透過し、夜間時により目立たせる方法としてもよい。
（ｖ）ハウジング２０またはレンズ３０の成形金型で絵文字６０を一体的に作成し、陰影により絵文字６０を目立たせる方法。
【００１８】
〔絵文字６０の種類〕
（ａ）スイッチ部分５０にタッチのみして照明のＯＮ／ＯＦＦを行なう場合の、人の手の図柄を含む絵文字６０として、特に限定するものではないが、たとえば、図３〜図８に示す絵文字がある。具体的には、以下の（ａ−１）〜（ａ−４）の通りである。
【００１９】
（ａ−１）図３に示すように、手のひらのみからなる絵文字６０。
（ａ−２）図４に示すように、手のひらと、手のひらでスイッチ部分５０をタッチすることを示す矩形６０ａと、手のひらでスイッチ部分５０にタッチして反応することを示す複数の線６０ｂと、を備える絵文字６０。
（ａ−３）図５、図６に示すように、手のひら（図５）または指（人差し指）（図６）と、手のひらまたは指でスイッチ部分５０にタッチすることを示す円６０ｃと、を備える絵文字６０。
（ａ−４）図７，図８に示すように、手のひら（図７）または指（人差し指）（図８）と、手のひらまたは指でスイッチ部分５０にタッチして反応することを示す複数の三角形６０ｄと、を備える絵文字６０。
【００２０】
（ｂ）また、スイッチ部分５０にタッチしてスライドして照明のＯＮ／ＯＦＦを行なう場合の、人の手の図柄を含む絵文字６０として、特に限定するものではないが、たとえば、図９〜図１７に示す絵文字がある。具体的には以下の（ｂ−１）〜（ｂ−６）の通りである。
【００２１】
（ｂ−１）図９に示すように、指（人差し指）と、指でスイッチ部分５０にタッチすることを示しスライド方向である図の左右に延びる線６０ｅと、指のスライド方向である図の左右両側に設けられる三角形（矢印）６０ｆと、を備える絵文字。
（ｂ−２）図１０に示すように、指（人差し指）と、指でスイッチ部分５０をタッチすることを示しスライド方向である図の左右に延びる線６０ｅと、手のひらでスイッチ部分５０にタッチして反応することを示す複数の線６０ｂと、を備える絵文字６０。
（ｂ−３）図１１に示すように、手のひらと、スイッチ部分５０にタッチした手のひらのスライド方向が図の右方向であることを示す刃形６０ｇと、を備える絵文字６０。
（ｂ−４）図１２に示すように、指（人差し指）と、指でスイッチ部分５０をタッチすることを示す円６０ｃと、指のスライド方向である図の左右両側に設けられる三角形（矢印）６０ｆと、を備える絵文字６０。
（ｂ−５）図１３に示すように、指（人差し指）と、スイッチ部分５０にタッチした指のスライド方向が図の上方向であることを示す刃形６０ｇと、を備える絵文字６０。
（ｂ−６）図１４、図１５に示すように、手のひら（図１４）または指（人差し指）（図１５）と、スイッチ部分５０にタッチした手のひらまたは指のスライド方向が図の右方向であることを示す先細り湾曲形状６０ｈと、を備える絵文字６０。
（ｂ−７）図１６、図１７に示すように、手のひら（図１６）または指（人差し指）（図１７）と、スイッチ部分５０にタッチした手のひらまたは指のスライド方向が図の右方向であることを示す複数の長さの異なる湾曲線６０ｉと、を備える絵文字６０。
【００２２】
つぎに、本発明実施例の作用を説明する。
本発明実施例では、ハウジング２０またはレンズ３０の一部からなるスイッチ部分５０またはその近傍に、人の手の図柄を含む絵文字６０を用いて照明のＯＮ／ＯＦＦの操作方法を表示したため、絵文字６０の通りに使用者が操作することで、照明のＯＮ／ＯＦＦ操作をすることができる。そのため、照明のＯＮ／ＯＦＦの操作方法を文字にて表示する場合など、人の手の図柄を含む絵文字６０を用いない場合に比べて、使用者が容易に（一目見て直感的に）照明のＯＮ／ＯＦＦの操作方法を理解できる。
【００２３】
絵文字６０の図柄が、手のひらでまたは人差し指で操作する図柄となっているため、操作する際に使用者が最も多く使うであろう手の状態が図柄に取り入れられている。そのため、使用者が絵文字６０に違和感を覚えることを抑制できる。
【００２４】
絵文字６０の図柄に、矩形６０ａ（図４）、線６０ｂ（図４、図１０）、円６０ｃ（図５、図６、図１２）、三角形６０ｄ（図７、図８）、線６０ｅ（図９、図１０）、三角形６０ｆ（図９、図１２）、刃形６０ｇ（図１１、図１３）、先細り湾曲形状６０ｈ（図１４、図１５）、湾曲線６０ｉ（図１６、図１７）等、が設けられる場合、スイッチ部分５０にタッチして反応すること、スイッチ部分５０にタッチした手のスライド方向を絵文字６０で表現でき、矩形６０ａ等が設けられていない場合に比べて、使用者が容易に照明のＯＮ／ＯＦＦの操作方法を理解できる。
【００２５】
照明のＯＮ／ＯＦＦの操作方法を絵文字６０で表現しているため、文章等で操作方法を説明する場合に比べて、操作性だけでなくデザイン性、省スペース化においても有利である。
【符号の説明】
【００２６】
１０  車室内照明装置
２０  ハウジング
２１  収納ボックス
３０  レンズ
４０  光源
４１  マップランプ用の光源
４２  ドームランプ用の光源
５０  スイッチ部分
５１  マップランプ用スイッチ部分
５２  ドームランプ用スイッチ部分
６０  絵文字
【図１】
2010173402.tif 000003
【図２】
2010173402.tif 000004
【図３】
2010173402.tif 000005
【図４】
2010173402.tif 000006
【図５】
2010173402.tif 000007
【図６】
2010173402.tif 000008
【図７】
2010173402.tif 000009
【図８】
2010173402.tif 000010
【図９】
2010173402.tif 000011
【図１０】
2010173402.tif 000012
【図１１】
2010173402.tif 000013
【図１２】
2010173402.tif 000014
【図１３】
2010173402.tif 000015
【図１４】
2010173402.tif 000016
【図１５】
2010173402.tif 000017
【図１６】
2010173402.tif 000018
【図１７】
2010173402.tif 000019
【図１８】
2010173402.tif 000020